(57)【要約】【課題】ユーザーのニーズに応じた装置レイアウトを実現できる商品データ処理装置を提供することを課題とする。【解決手段】実施形態に係る商品データ処理装置は、第１の筐体を有し、レシートを発行するプリンタと、第１の筐体に隣接して配置した第２の筐体を有し、商品の情報を読み取るスキャナと、第１の筐体と第２の筐体を着脱可能に固定する固定手段と、プリンタの背面側およびスキャナの背面側を覆う単一の背面カバーと、を有する。【選択図】      図１
2019133513.tif 000002
【特許請求の範囲】
【請求項１】
第１の筐体を有し、レシートを発行するプリンタと、
前記第１の筐体に隣接して配置した第２の筐体を有し、商品の情報を読み取るスキャナと、
前記第１の筐体と前記第２の筐体を着脱可能に固定する固定手段と、
前記プリンタの背面側および前記スキャナの背面側を覆う単一の背面カバーと、
を有する商品データ処理装置。
【請求項２】
第３の筐体を有し、顧客が提示するカードからデータを読み取るカードリーダをさらに有する、
請求項１の商品データ処理装置。
【請求項３】
第１の筐体を有し、レシートを発行するプリンタと、
前記第１の筐体に隣接して配置した第３の筐体を有し、顧客が提示するカードからデータを読み取るカードリーダと、
前記第１の筐体と前記第３の筐体を着脱可能に固定する固定手段と、
前記プリンタの背面側および前記カードリーダの背面側を覆う単一の背面カバーと、
を有する商品データ処理装置。
【請求項４】
第２の筐体を有し、商品の情報を読み取るスキャナをさらに有する、
請求項３の商品データ処理装置。
【請求項５】
第１の筐体を有し、レシートを発行するプリンタと、
第２の筐体を有し、商品の情報を読み取るスキャナと、
第３の筐体を有し、顧客が提示するカードからデータを読み取るカードリーダと、
各種処理情報を表示するディスプレイと、
前記プリンタ、前記スキャナ、前記カードリーダ、および前記ディスプレイを制御する制御部と、
前記第１乃至第３の筐体のうち少なくとも２つを着脱可能に固定する固定手段と、
前記固定手段で固定した前記少なくとも２つの筐体の背面側を覆う単一の背面カバーと、
を有する商品データ処理装置。
【発明の詳細な説明】
【技術分野】
【０００１】
本発明の実施形態は、例えば、セルフＰＯＳなどの商品データ処理装置に関する。
【背景技術】
【０００２】
セルフＰＯＳは、例えば、商品のバーコードを読み取るスキャナ、クレジットカードやポイントカードを読み取るカードリーダ、レシートを発行するプリンタなど、複数の装置を筐体内に備えている。
【０００３】
人手不足の影響により、このようなセルフＰＯＳやセミセルフＰＯＳなど、商品を購入する人が操作する端末が普及されつつある。
【０００４】
セルフＰＯＳの設置スペースを小さくするため、スキャナ、カードリーダ、プリンタなどの装置を上下に並べて配置したセルフＰＯＳが知られている。
【先行技術文献】
【特許文献】
【０００５】
【特許文献１】特開２０１４−３８６４９号公報
【発明の概要】
【発明が解決しようとする課題】
【０００６】
しかし、セルフＰＯＳの運用方法はユーザーによって異なり、例えば、カードリーダをほとんど使用しないユーザーもいる。この場合、カードリーダを備えたセルフＰＯＳは、オーバースペックとなり、ユーザーにとって無駄な費用負担となってしまう。
【０００７】
よって、ユーザーのニーズに応じた装置レイアウトを実現できるセルフＰＯＳの開発が望まれている。
【課題を解決するための手段】
【０００８】
実施形態に係る商品データ処理装置は、第１の筐体を有し、レシートを発行するプリンタと、第１の筐体に隣接して配置した第２の筐体を有し、商品の情報を読み取るスキャナと、第１の筐体と第２の筐体を着脱可能に固定する固定手段と、プリンタの背面側およびスキャナの背面側を覆う単一の背面カバーと、を有する。
【０００９】
また、実施形態に係る商品データ処理装置は、第１の筐体を有し、レシートを発行するプリンタと、第１の筐体に隣接して配置した第３の筐体を有し、顧客が提示するカードからデータを読み取るカードリーダと、第１の筐体と第３の筐体を着脱可能に固定する固定手段と、プリンタの背面側およびカードリーダの背面側を覆う単一の背面カバーと、を有する。
【００１０】
さらに、実施形態に係る商品データ処理装置は、第１の筐体を有し、レシートを発行するプリンタと、第２の筐体を有し、商品の情報を読み取るスキャナと、第３の筐体を有し、顧客が提示するカードからデータを読み取るカードリーダと、各種処理情報を表示するディスプレイと、プリンタ、スキャナ、カードリーダ、およびディスプレイを制御する制御部と、第１乃至第３の筐体のうち少なくとも２つを着脱可能に固定する固定手段と、固定手段で固定した少なくとも２つの筐体の背面側を覆う単一の背面カバーと、を有する。
【図面の簡単な説明】
【００１１】
【図１】図１は、第１の実施形態に係るセルフＰＯＳを示す外観斜視図である。
【図２】図２は、図１のセルフＰＯＳを斜め後ろから見た外観斜視図である。
【図３】図３は、図１のセルフＰＯＳに組み込まれたプリンタを示す斜視図である。
【図４】図４は、図１のセルフＰＯＳのプリンタとスキャナを組み合わせた組立体を前面側から見た斜視図である。
【図５】図５は、図４の組立体を背面側から見た斜視図である。
【図６】図６は、図１のセルフＰＯＳに組み込まれたスキャナを示す斜視図である。
【図７】図７は、図１のセルフＰＯＳに組み込まれたスキャナにディスプレイを固定する支持脚部を示す斜視図である。
【図８】図８は、図１のセルフＰＯＳの背面カバーを示す斜視図である。
【図９】図９は、図８の背面カバーの上端側の固定構造を示す断面図である。
【図１０】図１０は、図８の背面カバーの下端側の固定構造を示す断面図である。
【図１１】図１１は、第２の実施形態に係るセルフＰＯＳを示す外観斜視図である。
【図１２】図１２は、図１１のセルフＰＯＳを斜め後ろから見た外観斜視図である。
【図１３】図１３は、図１１のセルフＰＯＳに組み込まれたカードリーダを示す斜視図である。
【図１４】図１４は、図１１のセルフＰＯＳのプリンタとカードリーダを組み合わせた組立体を前面側から見た斜視図である。
【図１５】図１５は、図１４の組立体を背面側から見た斜視図である。
【図１６】図１６は、本実施形態のセルフＰＯＳの変形例を示す外観斜視図である。
【図１７】図１７は、図１６のセルフＰＯＳを斜め後ろから見た斜視図である。
【発明を実施するための形態】
【００１２】
以下、図面を参照しながら実施形態について詳細に説明する。なお、以下の説明では、各図に記載した座標軸において、Ｘ軸に沿ったプラス側を右側、マイナス側を左側と称し、Ｙ軸に沿ったプラス側を上側、マイナス側を下側と称し、Ｚ軸に沿ったプラス側を背面側、マイナス側を前面側と称する。
【００１３】
（第１の実施形態）
図１および図２に示すように、第１の実施形態に係るセルフＰＯＳ１００（商品データ処理装置）は、筐体１１（第１の筐体）を有するプリンタ１０と、筐体２１（第２の筐体）を有するスキャナ２０と、筐体３１（第３の筐体）を有するカードリーダ３０と、制御部を内蔵したディスプレイ４０と、を備えている。プリンタ１０、スキャナ２０、カードリーダ３０は、互いに分離可能な独立したユニットであり、筐体１１、２１、３１の左右方向の幅が略同じであり、自由に組み合わせて使用することができる。
【００１４】
本実施形態では、プリンタ１０の筐体１１の上にスキャナ２０の筐体２１を重ねて配置し、プリンタ１０の筐体１１の横にカードリーダ３０の筐体３１を並べて配置した。また、スキャナ２０の筐体２１の上にディスプレイ４０を重ねて配置した。プリンタ１０の背面側およびスキャナ２０の背面側には、両者をまとめて覆う背面カバー５０を設けた。また、カードリーダ３０の背面側には、背面カバー５０とは別の背面カバー６０を設けた。
【００１５】
プリンタ１０は、商品を購入した人に対してレシートを発行する。スキャナ２０は、商品のバーコードを読み取る。カードリーダ３０は、商品を購入した人が提示するクレジットカードやポイントカードを読み取る。ディスプレイ４０は、店員に対する各種情報を表示する。ディスプレイ４０の画面は、タッチセンサを内蔵したタッチパネルであってもよい。
【００１６】
プリンタ１０の配線（図示せず）、スキャナ２０の配線（図示せず）、およびカードリーダ３０の配線（図示せず）は、ディスプレイ４０の背面側の図示しないコネクタに接続される。各ユニットから引き出されてディスプレイ４０（制御部）に接続される複数本の配線は、背面カバー５０の内側を通ってディスプレイ４０の後述する支持脚部４１の脚部カバー４３の中を通って配線される。よって、全ての配線は、外部に露出することはない。
【００１７】
図３に示すように、プリンタ１０は、略矩形箱状の筐体１１を有する。筐体１１は、前壁１２、底壁１３、天壁１４、および左右２つの側壁１５、１６を有する。筐体１１の背面側の壁は無く開口している。筐体１１は、プリンタ１０の外殻をなす。筐体１１の底壁１３は、筐体１１内に収容配置した構成部品を支持固定するためのフレームとして機能する。
【００１８】
筐体１１の前壁１２には、レシートを発行する発行口１２ａ、および電源ボタン１２ｂが設けられている。天壁１４は、底壁１３より奥行きが短く形成されている。２つの側壁１５、１６は、その後端辺１５ａ、１６ａが天壁１４の後端辺１４ａから底壁１３の後端辺１３ａに向けて背面側に傾斜している。
【００１９】
プリンタ１０の筐体１１内に収容配置した構成部品は、筐体１１の背面側の開口部を介して背面側に部分的に突出している。具体的には、構成部品の一部が、天壁１４の後端辺１４ａ、および２つの側壁１５、１６の後端辺１５ａ、１６ａより背面側に突出している。構成部品は、例えば、複数本のネジ７１（図４、５）により筐体１１の底壁１３に締結固定される。
【００２０】
筐体１１の背面側の開口部から突出した構成部品は、背面カバー５０によって覆われる。言い換えると、背面カバー５０は、プリンタ１０の筐体１１の背面側の開口部から突出した構成部品を収容するため、プリンタ１０の背面側に膨出した形状を有する。
【００２１】
プリンタ１０は、レシートの基材となるロール紙（図示せず）を収容しているため、他のユニットと比較して重量が重くサイズが大きい。本実施形態のセルフＰＯＳ１００は、プリンタ１０の上にスキャナ２０を配置して且つスキャナ２０の上にディスプレイ４０を配置したため、重量のあるプリンタ１０を一番下に配置してセルフＰＯＳ１００の設置安定性を高めるようにしている。
【００２２】
筐体１１の天壁１４は、スキャナ２０を固定するためのネジ７２（図４、５）を挿通するための複数の挿通孔１４ｂを有する。複数本のネジ７２は、プリンタ１０の筐体１１とスキャナ２０の筐体２１を着脱可能に固定する固定手段として機能する。図４および図５に示すように、複数本のネジ７２がプリンタ１０の筐体１１の内側から天壁１４の挿通孔１４ｂに挿通され、プリンタ１０の筐体１１の天壁１４とスキャナ２０の筐体２１の底壁２３が複数本のネジ７２により締結固定される。天壁１４は、その後端辺１４ａに、複数本の配線を通すための切り欠き１４ｃを有する。
【００２３】
筐体１１の底壁１３は、図４および図５に示すように、前後方向（Ｚ軸方向）に延びた複数本（本実施形態では３本）の溝部１３ｂを有する。溝部１３ｂは、底壁１３の板材を複数箇所で折り曲げたような形状を有する。プリンタ１０の構成部品を底壁１３に固定するネジ７１を挿通する挿通孔１３ｃは、溝部１３ｂに設けられている。底壁１３は、図示しない作業台に面で接触するため、ネジ７１の頭を溝部１３ｂ内に配置して底壁１３より下方にネジ７１の頭が突出しないようにしている。なお、複数本の溝部１３ｂを設けることで、フレームとして機能する底壁１３の剛性を高めている。
【００２４】
図６に示すように、スキャナ２０は、略矩形箱状の筐体２１を有する。筐体２１は、前壁２２、底壁２３、天壁２４、および左右２つの側壁２５、２６を有する。筐体２１の背面側の壁は無く開口している。筐体２１は、スキャナ２０の外殻をなす。筐体２１の底壁２３は、筐体２１内に収容配置した構成部品を支持固定するためのフレームとして機能する。
【００２５】
筐体２１の前壁２２には、図示しない商品のバーコードをかざす窓部２２ｂが設けられている。スキャナ２０は、商品のバーコードにレーザー光を照射してスキャニングするタイプ、およびＣＣＤを用いてバーコードを撮像して画像認識により読み取るタイプのものがある。筐体２１の中に収容配置されるスキャナ２０の構成部品は、図示しない複数本のネジにより筐体２１の底壁２３に締結固定される。
【００２６】
底壁２３には、プリンタ１０の筐体１１の底壁１３に設けた溝部１３ｂと同様の複数本の溝部（図示せず）が設けられている。このため、スキャナ２０をプリンタ１０の上に配置した状態で、構成部品を固定するためのネジの頭がプリンタ１０の筐体１１に干渉することがない。また、これら複数本の溝部により、底壁２３の剛性が高められている。
【００２７】
筐体２１の天壁２４には、ディスプレイ４０の支持脚部４１を締結固定するための複数本のネジ７３（図７）を挿通するための複数の挿通孔２４ｂ（図６）が設けられている。図７に示すように、スキャナ２０の上方から、複数本のネジ７３が支持脚部４１の支持フレーム４２に設けた図示しない挿通孔およびスキャナ２０の天壁２４の挿通孔２４ｂに挿通され、支持フレーム４２がスキャナ２０の筐体２１に締結固定される。
【００２８】
ディスプレイ４０の支持脚部４１は、スキャナ２０の天壁２４に固定した支持フレーム４２に対してディスプレイ本体を回動可能にするためのヒンジ機構を有する。そして、このヒンジ機構には、ディスプレイ本体の回動位置を固定するための固定片４４が設けられている。固定片４４は、ネジ４５を挿通するスリット４６を有し、ディスプレイ４０の回動を固定する位置に配置されてネジ４５により支持フレーム４２に固定される。
【００２９】
天壁２４の後端辺２４ａには、複数本の配線を通すための切り欠き２４ｃが設けられている。ディスプレイ４０の支持フレーム４２は、脚部カバー４３（図２）によって覆われる。つまり、ネジ７３によりディスプレイ４０をスキャナ２０に固定し、且つ、固定片４４によってディスプレイ４０の回動を固定した後、脚部カバー４３が取り付けられる。
【００３０】
図８に示すように、背面カバー５０は、上述したようにプリンタ１０の上にスキャナ２０を取り付けた組立体の背面側に設けられる。つまり、背面カバー５０は、図５に示すプリンタ１０の背面側の開口部およびスキャナ２０の背面側の開口部をまとめて覆うように設けられる。言い換えると、プリンタ１０の背面カバーとスキャナ２０の背面カバーは分離しておらず、１つの背面カバー５０により２つのユニットの背面側をカバーしている。
【００３１】
背面カバー５０は、プリンタ１０の筐体１１の背面側の４つの後端辺１３ａ、１４ａ、１５ａ、１６ａ、およびスキャナ２０の背面側の４つの後端辺２３ａ、２４ａ、２５ａ、２６ａの形状に合わせた形状の枠状の係合端５１を有する。上述したように、背面カバー５０は、プリンタ１０の構成部品を覆うように背面側に膨出した形状を有する。背面カバー５０の上端近くには、配線カバー５５（図２）を取り付けるための切り欠き部５２が設けられている。
【００３２】
図９に示すように、背面カバー５０の上端がスキャナ２０の天壁２４に固定される。背面カバー５０の上端近くの係合端５１には、上方に突出した２つの係合突起５３が設けられている。２つの係合突起５３は、係合端５１に沿って左右に離間した位置に設けられている。一方、スキャナ２０の筐体２１の天壁２４の後端辺２４ａの近傍に、上述した２つの係合突起５３をそれぞれ受け入れる２つの係合孔２４ｄが設けられている。係合突起５３は、天壁２４の内側から係合孔２４ｄに係合される。
【００３３】
図１０に示すように、背面カバー５０の下端がプリンタ１０の筐体１１に固定される。背面カバー５０の下端近くには、左右に延びた凹所５４が設けられている。凹所５４の底には、固定用のネジ７４を挿通するための２つの挿通孔５６が設けられている。一方、プリンタ１０の筐体１１の背面側の下端近くにはネジ７４を螺合するためのネジ穴１７ａを有する２つの固定プレート１７が取り付けられている。２つの固定プレート１７は、左右の側壁１５、１６に近接して互いに離間して設けられている。
【００３４】
背面カバー５０を取り付ける場合、まず、背面カバー５０の上端にある２つの係合突起５３をスキャナ２０の筐体２１に設けた係合孔２４ｄに係合する。そして、背面カバー５０の外側から挿通孔５６を介してネジ７４を挿通し、筐体１１側のネジ穴１７ａに螺合する。これにより、背面カバー５０がプリンタ１０およびスキャナ２０の背面側に取り付けられる。
【００３５】
図５に示すように、プリンタ１０の筐体１１とスキャナ２０の筐体２１の背面側で２つの筐体１１、２１の間には、配線を押える押えプレート５７が取り付けられている。押えプレート５７の左右両端５７ａは、図１に示すようにセルフＰＯＳを前面側から見たときに、背面カバー５０との間の隙間を埋める遮蔽部材として機能する。
【００３６】
以上のように、第１の実施形態によると、プリンタ１０、スキャナ２０、カードリーダ３０、およびディスプレイ４０を組み合わせることができ、ユーザーのニーズに応じた装置レイアウトを実現できる。
【００３７】
また、第１の実施形態によると、プリンタ１０の筐体１１が、プリンタ１０の外殻をなすとともに、内部に収容する構成部品を支持固定するためのフレームとして機能する。このため、筐体１１内にフレームを設ける必要がなく、部品点数を少なくすることができ、その分、装置の製造コストを低減することができる。
【００３８】
また、プリンタ１０の故障などにより、筐体１１内の構成部品を交換したり修理したりする必要がある場合、フレーム（すなわち筐体１１）を取り外すことなく、背面カバー５０を取り外すだけで筐体１１の背面側から構成部品にアクセスすることができ、メンテナンス作業を容易にできる。
【００３９】
また、第１の実施形態によると、スキャナ２０の筐体２１も、スキャナ２０の外殻をなすとともに、内部に収容する構成部品を支持固定するためのフレームとして機能する。このため、筐体２１内にフレームを設ける必要がなく、部品点数を少なくすることができ、その分、装置の製造コストを低減することができる。
【００４０】
また、スキャナ２０の故障などにより、筐体２１内の構成部品を交換したり修理したりする必要がある場合、フレーム（すなわち筐体２１）を取り外すことなく、背面カバー５０を取り外すだけで筐体２１の背面側から構成部品にアクセスすることができ、メンテナンス作業を容易にできる。
【００４１】
さらに、第１の実施形態によると、プリンタ１０の筐体１１の底壁１３に複数本の溝部１３ｂを設けたため、筐体１１の剛性を高めることができ、構成部品を固定するためのネジ７１の頭部を収容することができる。スキャナ２０の底壁２３も同様の構成を有し、同様の効果を奏することができる。
【００４２】
（第２の実施形態）
図１１および図１２に示すように、第２の実施形態に係るセルフＰＯＳ２００（商品データ処理装置）は、プリンタ１０の上にスキャナ２０を配置する代わりにカードリーダ３０を配置した構造を有する。スキャナ２０は、プリンタ１０の横に配置してもよく、図示のように省略してもよい。第２の実施形態に係るセルフＰＯＳ２００は、プリンタ１０とカードリーダ３０の組立体の背面側を覆う背面カバー８０以外、上述した第１の実施形態と同様の構成を有し、プリンタ１０も第１の実施形態のものと同じものである。よって、ここでは、第１の実施形態と同様に機能する構成要素には同一符号を付してその詳細な説明を省略する。
【００４３】
図１３に示すように、カードリーダ３０は、略矩形箱状の筐体３１を有する。筐体３１は、前壁３２、底壁３３、天壁３４、および左右２つの側壁３５、３６を有する。筐体３１の背面側の壁は無く開口している。筐体３１は、カードリーダ３０の外殻をなす。筐体３１の底壁３３は、筐体３１内に収容配置した構成部品を支持固定するためのフレームとして機能する。筐体３１は、スキャナ２０の筐体２１より上下方向に沿った厚みが薄い。
【００４４】
筐体３１の前壁３２には、商品を購入した人から提示されたクレジットカードやポイントカードを挿入するためのカード挿入口３２ａが設けられている。筐体３１の中に収容配置されるカードリーダ３０の構成部品は、図示しない複数本のネジにより筐体３１の底壁３３に締結固定される。
【００４５】
底壁３３には、プリンタ１０の筐体１１の底壁１３に設けた溝部１３ｂと同様の複数本の溝部（図示せず）が設けられている。このため、カードリーダ３０をプリンタ１０の上に配置した状態で、構成部品を固定するためのネジの頭がプリンタ１０の筐体１１に干渉することがない。また、これら複数本の溝部により、底壁３３の剛性が高められている。
【００４６】
図１４および図１５に示すように、カードリーダ３０の筐体３１の底壁３３とプリンタ１０の筐体１１の天壁１４は、上述した第１の実施形態と同様に、複数本のネジ７２を用いて締結固定される。複数本のネジ７２は、プリンタ１０の筐体１１とカードリーダ３０の筐体３１を着脱可能に固定する固定手段として機能する。
【００４７】
筐体３１の天壁３４には、ディスプレイ４０の支持フレーム４２を締結固定するための複数本のネジ（ここでは図示せず）を挿通するための複数の挿通孔３４ｂが設けられている。図７に示すように、複数本のネジ７３が支持脚部４１の支持フレーム４２に設けた図示しない挿通孔およびカードリーダ３０の天壁３４の挿通孔３４ｂに挿通され、支持フレーム４２がカードリーダ３０の筐体３１に締結固定される。
【００４８】
背面カバー８０は、プリンタ１０の上にカードリーダ３０を取り付けた組立体の背面側に設けられる。カードリーダ３０がスキャナ２０より薄いため、背面カバー８０は第１の実施形態の背面カバー５０より短い。背面カバー８０は、図１２に示すように、プリンタ１０の背面側の開口部およびカードリーダ３０の背面側の開口部をまとめて覆うように設けられる。言い換えると、プリンタ１０の背面カバーとカードリーダ３０の背面カバーは分離しておらず、１つの背面カバー８０により２つのユニットの背面側をカバーしている。
【００４９】
背面カバー８０は、プリンタ１０の筐体１１の背面側の４つの後端辺１３ａ、１４ａ、１５ａ、１６ａ、およびカードリーダ３０の背面側の４つの後端辺３３ａ、３４ａ、３５ａ、３６ａの形状に合わせた形状の枠状の係合端８１を有する。背面カバー８０は、プリンタ１０の構成部品を覆うように背面側に膨出した形状を有する。
【００５０】
背面カバー８０の固定構造は、上述した第１の実施形態のものと同様である。すなわち、カードリーダ３０の天壁３４の後端辺３４ａの近くには、背面カバー８０の係合端８１の上端に設けた係合突起（図示省略）を受け入れる２つの係合孔３４ｄが設けられている。背面カバー８０の下端近くには、上述した第１の実施形態と同様に、プリンタ１０の固定プレート１７のネジ穴１７ａに螺合するネジ７４を挿通するための２つの挿通孔（図示省略）が設けられている。
【００５１】
以上のように、第２の実施形態によると、プリンタ１０、カードリーダ３０、およびディスプレイ４０を組み合わせることができ、ユーザーのニーズに応じた装置レイアウトを実現できる。
【００５２】
また、第２の実施形態によると、カードリーダ３０の筐体３１が、カードリーダ３０の外殻をなすとともに、内部に収容する構成部品を支持固定するためのフレームとして機能する。このため、筐体３１内にフレームを設ける必要がなく、部品点数を少なくすることができ、その分、装置の製造コストを低減することができる。
【００５３】
さらに、第２の実施形態によると、カードリーダ３０の筐体３１の底壁３３に複数本の溝部を設けたため、筐体３１の剛性を高めることができ、構成部品を固定するためのネジの頭部を収容することができる。
【００５４】
（変形例）
図１６および図１７に示すように、変形例に係るセルフＰＯＳ３００は、プリンタ１０、スキャナ２０、ディスプレイ４０の他に、店員が操作するテンキー９２と、および商品を購入した人が操作するサブディスプレイ９４を備えている。テンキー９２は、前面側に向けて、ディスプレイ４０の右側に取り付けられている。サブディスプレイ９４は、背面カバー５０の切り欠き部５２を介して、背面側に向けて、スキャナ２０の筐体２１に取り付けられている。サブディスプレイ９４は、角度を変更可能なヒンジ機構を備えている。
【００５５】
本変形例のように、上述した各実施形態のセルフＰＯＳ１００、２００にも、テンキー９２やサブディスプレイ９４を取り付けることができる。また、プリンタ１０の上にスキャナ２０を配置し、スキャナ２０の上にカードリーダ３０を配置し、且つカードリーダ３０の上にディスプレイ４０を配置することもできる。つまり、プリンタ１０、スキャナ２０、カードリーダ３０の組み合わせは自由に変更することができ、重ねる順番も任意に変えることができる。
【００５６】
以上述べた少なくともひとつの実施形態のセルフＰＯＳ（商品データ処理装置）によれば、プリンタ１０、スキャナ２０、カードリーダ３０などの独立した複数のユニットを自由に組み合わせることができ、ユーザーのニーズに応じた装置レイアウトを実現することができる。
【００５７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５８】
例えば、上述した実施形態では、プリンタ１０の上にスキャナ２０やカードリーダ３０を配置した例について説明したが、これに限らず、スキャナ２０の上にカードリーダ３０を配置してこの組立体の横にプリンタ１０を配置しても良い。
【符号の説明】
【００５９】
１０…プリンタ、１１…筐体、２０…スキャナ、２１…筐体、３０…カードリーダ、３１…筐体、４０…ディスプレイ、５０…背面カバー、８０…背面カバー、１００、２００、３００…セルフＰＯＳ。
【図１】
2019133513.tif 000003
【図２】
2019133513.tif 000004
【図３】
2019133513.tif 000005
【図４】
2019133513.tif 000006
【図５】
2019133513.tif 000007
【図６】
2019133513.tif 000008
【図７】
2019133513.tif 000009
【図８】
2019133513.tif 000010
【図９】
2019133513.tif 000011
【図１０】
2019133513.tif 000012
【図１１】
2019133513.tif 000013
【図１２】
2019133513.tif 000014
【図１３】
2019133513.tif 000015
【図１４】
2019133513.tif 000016
【図１５】
2019133513.tif 000017
【図１６】
2019133513.tif 000018
【図１７】
2019133513.tif 000019